(57)【特許請求の範囲】
【請求項１】
基板を回転させながら処理するスピン処理装置において、
周壁に複数の導入口部が形成されたカップ体と、
このカップ体内に設けられ上記基板を保持するとともに駆動源によって回転駆動される回転テーブルと、
上記カップ体の底部に設けられこのカップ体内から気体及び液体を排出する排出部と、
この排出部に接続され上記カップ体内に吸引力を作用させる排気装置と、
上記カップ体の内周面と上記回転テーブルとの間に上下方向に所定間隔で離間して設けられ上記排気装置の吸引力によって上記カップ体内から上記排出部へ排出される気体を整流する複数の整流リングと、
上記カップ体の周壁の外側に一端を上記導入口部に連通させて設けられ末端が閉塞されていて、この末端に上記排出部が接続されるとともに、上記一端から末端に行くにつれて断面積が漸次大きくなるよう形成された導入路と
を具備したことを特徴とするスピン処理装置。
【請求項２】
上記カップ体には偶数の排気部が設けられ、同じ数の排気部がそれぞれ気液分離器に接続され、各気液分離器には１つの排気装置から分岐された排気管が接続されていることを特徴とする請求項１記載のスピン処理装置。
【請求項３】
排気部の数は４つで、気液分離器の数は２つであって、２つの排気部が１つの気液分離器の長手方向両端部に接続され、上記排気管は上記気液分離器の長手方向中央部に接続されていることを特徴とする請求項２記載のスピン処理装置。
【請求項４】
上記整流リングは内周縁が外周縁よりも高くなるよう板面を傾斜させて設けられていることを特徴とする請求項１記載のスピン処理装置。
【請求項５】
上記カップ体の周壁には、このカップ体の内部と上記排出部とを連通する導入口部が形成され、
上記カップ体の内周面と上記整流リングの外周縁との間には、上記整流リングを通過したカップ体内の気体と液体を上記導入口部へ強制的に流入させるガイド部材が設けられていることを特徴とする請求項１記載のスピン処理装置。
【請求項６】
上側に位置する整流リングの下端は、下側に位置する整流リングの上端よりも下方若しくはほぼ同じ高さに設けられていることを特徴とする請求項１記載のスピン処理装置。
【請求項７】
複数の整流リングは、下側に位置する整流リングの傾斜方向上端に係合する第１の係合部と、上側に位置する整流リングの傾斜方向下端に係合する第２の係合部とが形成された保持部材によって上下方向に所定間隔で離間して保持されていることを特徴とする請求項１記載のスピン処理装置。
【請求項８】
最下端に位置する整流リングの傾斜方向下端には、この整流リングを上記カップ体内に支持するための脚が周方向に所定間隔で設けられていることを特徴とする請求項１記載のスピン処理装置。
【請求項９】
複数の整流リングは、上記カップ体内に立設された支柱部材によって保持されていることを特徴とする請求項１記載のスピン処理装置。
【発明の詳細な説明】
【０００１】
【発明の属する技術分野】
この発明は基板を回転テーブルによって回転させながら処理するスピン処理装置に関する。
【０００２】
【従来の技術】
たとえば、液晶表示装置や半導体装置の製造過程においては、ガラス基板や半導体ウエハなどの基板に回路パタ−ンを形成するための成膜プロセスやフォトプロセスがある。これらのプロセスでは、上記基板に対して処理液による処理及び洗浄が行なわれたのち、乾燥処理が行なわれる。
【０００３】
基板に対してこのような一連の処理を行なう場合、上記基板を回転テ−ブルに保持し、この回転テ−ブルとともに回転させ、それによって生じる遠心力を利用する、スピン処理装置が用いられる。
【０００４】
一般に、スピン処理装置は処理槽を有し、この処理槽内にカップ体が配置されている。このカップ体は上面が開口しており、内部には回転テーブルが設けられている。この回転テーブルには上記基板が着脱可能に保持される。上記カップ体の底部には複数の排出管が周方向に所定間隔で接続されている。各排出管はそれぞれ気液分離器に接続され、この気液分離器には排出ポンプが接続されている。
【０００５】
上記スピン処理装置によって基板を処理する場合、まず、基板を保持した回転テーブルを数１０〜数１００ｒ．ｐ．ｍの低速度で回転させながら基板に処理液としてのフッ酸などの薬液を供給する。
【０００６】
薬液による処理を所定時間行なったならば、同じく処理液としての純水を供給し、基板から薬液を洗浄除去する。ついで、回転テーブルを１０００〜２０００ｒ．ｐ．ｍ程度の高速度で回転させることで、基板に付着した処理液を遠心力によって除去し、この基板を乾燥処理する。
【０００７】
上述した如く基板を処理する際、排出管に接続された排出ポンプを作動させる。それによって、排出ポンプの吸引力が排出管を通じてカップ体内に作用するから、この排出管によって基板から飛散する処理液を含むカップ体内の気体が排出されることになる。
【０００８】
【発明が解決しようとする課題】
ところで、カップ体の底部には、通常２〜４本の排出管がカップ体の周方向に沿って所定間隔で接続されている。そのため、カップ体内に作用する排出ポンプの吸引力は、排出管が接続された部分が他の部分に比べて高くなる。つまり、カップ体内には、周方向全体にわたって排出ポンプによる吸引力が排出管を介して均一に作用し難い。
【０００９】
そのため、カップ体内の排出ポンプの吸引力が作用し難い部分では、基板から飛散してカップ体の内周面で反射した処理液が排出され難くなり、ミスト状となってカップ体内を浮遊して基板に再付着し、汚染の原因になるということがあった。
【００１０】
この発明は、基板から飛散した処理液がカップ体から排出されずに基板に再付着することがないようにしたスピン処理装置を提供することにある。
【００１１】
【課題を解決するための手段】
請求項１の発明は、基板を回転させながら処理するスピン処理装置において、
周壁に複数の導入口部が形成されたカップ体と、
このカップ体内に設けられ上記基板を保持するとともに駆動源によって回転駆動される回転テーブルと、
上記カップ体の底部に設けられこのカップ体内から気体及び液体を排出する排出部と、
この排出部に接続され上記カップ体内に吸引力を作用させる排気装置と、
上記カップ体の内周面と上記回転テーブルとの間に上下方向に所定間隔で離間して設けられ上記排気装置の吸引力によって上記カップ体内から上記排出部へ排出される気体を整流する複数の整流リングと、
上記カップ体の周壁の外側に一端を上記導入口部に連通させて設けられ末端が閉塞されていて、この末端に上記排出部が接続されるとともに、上記一端から末端に行くにつれて断面積が漸次大きくなるよう形成された導入路と
を具備したことを特徴とするスピン処理装置にある。
【００１２】
請求項２の発明は、上記カップ体には偶数の排気部が設けられ、同じ数の排気部がそれぞれ気液分離器に接続され、各気液分離器には１つの排気装置から分岐された排気管が接続されていることを特徴とする請求項１記載のスピン処理装置にある。
【００１３】
請求項３の発明は、排気部の数は４つで、気液分離器の数は２つであって、２つの排気部が１つの気液分離器の長手方向両端部に接続され、上記排気管は上記気液分離器の長手方向中央部に接続されていることを特徴とする請求項２記載のスピン処理装置にある。
【００１４】
請求項４の発明は、上記整流リングは内周縁が外周縁よりも高くなるよう板面を傾斜させて設けられていることを特徴とする請求項１記載のスピン処理装置にある。
【００１５】
請求項５の発明は、上記カップ体の周壁には、このカップ体の内部と上記排出部とを連通する導入口部が形成され、
上記カップ体の内周面と上記整流リングの外周縁との間には、上記整流リングを通過したカップ体内の気体と液体を上記導入口部へ強制的に流入させるガイド部材が設けられていることを特徴とする請求項１記載のスピン処理装置にある。
【００１７】
請求項６の発明は、上側に位置する整流リングの下端は、下側に位置する整流リングの上端よりも下方若しくはほぼ同じ高さに設けられていることを特徴とする請求項１記載のスピン処理装置にある。
【００１８】
請求項７の発明は、複数の整流リングは、下側に位置する整流リングの傾斜方向上端に係合する第１の係合部と、上側に位置する整流リングの傾斜方向下端に係合する第２の係合部とが形成された保持部材によって上下方向に所定間隔で離間して保持されていることを特徴とする請求項１記載のスピン処理装置にある。
【００１９】
請求項８の発明は、最下端に位置する整流リングの傾斜方向下端には、この整流リングを上記カップ体内に支持するための脚が周方向に所定間隔で設けられていることを特徴とする請求項１記載のスピン処理装置にある。
【００２０】
請求項９の発明は、複数の整流リングは、上記カップ体内に立設された支柱部材によって保持されていることを特徴とする請求項１記載のスピン処理装置にある。
【００２１】
この発明によれば、カップ体内に設けられた整流リングの整流作用によってカップ体内に排出装置の吸引力を均一に作用させることができる。
【００２２】
【発明の実施の形態】
以下、この発明の実施の形態を図面を参照して説明する。
【００２３】
図１乃至図５はこの発明の第１の実施の形態を示す。図１と図２に示すスピン処理装置はカップ体１を有する。このカップ体１は箱型状の処理槽２内に設けられている。カップ体１は中心部に向かって高く傾斜した底板３を有し、この底板３の周辺部には周壁４が設けられている。この周壁４には、図２に示すように周方向に等間隔で偶数、たとえば４つの導入口部５が開口形成されている。
【００２４】
上記底板３の中心部分には通孔６が形成され、この通孔６には中空状の駆動軸７が挿通されている。なお、通孔６は遮蔽板６ａによって閉塞されている。
【００２５】
上記底板３の下面の中心部分には駆動モータ８が取り付けられ、この駆動モータ８の図示しない回転子に上記駆動軸７が連結されている。この駆動軸７のカップ体１内に突出した上端には、図２に示すように平面形状がほぼ十字状の回転テーブル９が取り付けられている。
【００２６】
上記回転テーブル９は上記駆動軸７の上端に連結固定された基部１１と、この基部１１に周方向に所定間隔で一端部を連結した４本のアーム１２とから構成されている。各アーム１２の先端部にはそれぞれ一対の係合ピン１３が立設されている。各アーム１２の先端部と上記基部１１とには、それぞれ支持ピン１４が立設されている。
【００２７】
上記回転テーブル９には、たとえば液晶表示装置に用いられるガラス製の矩形状の基板１５が角部を各アーム１２の先端部に設けられた一対の係合ピン１３に係合させ、この角部の下面と中心部の下面とをそれぞれ上記支持ピン１４に支持されて着脱可能に保持される。
【００２８】
したがって、上記駆動モータ８が作動すると、上記回転テーブル９は基板１５を保持した状態で図２に矢印Ａで示す反時計方向に回転駆動されるようになっている。なお、上記遮蔽板６ａは上記基部１１の下面に取付けられている。
【００２９】
図１に示すように、上記カップ体１の周壁４の上端には、リング状の反射防止部材１６が周方向全長にわたって設けられている。この反射防止部材１６は傾斜部１６ａと、この傾斜部１６ａの内周縁に垂設された垂直部１６ｂとを有し、上記傾斜部１６ａは上記周壁４に連結された外周縁が内周縁よりも低くなるよう傾斜している。
【００３０】
それによって、回転テーブル９を回転させることで、基板１５に付着した処理液の一部が斜め上方に向かって飛散しても、その処理液は傾斜部１６ａの下面で下方に向かって反射するから、基板１５に再付着するのが防止される。
【００３１】
上記カップ体１の周壁の外側には、各導入口部５と対応する部分にカバー体２２が設けられている。各カバー体２２は、上記導入口部５側に位置する一端から上記回転テーブル９の回転方向に沿う他端部にゆくにつれてカップ体１の外周面との間隔が漸次大きくなる導入路２３を、上記カップ体１の周方向に沿って形成している。つまり、導入路２３は、一端から他端に行くにつれて断面積が漸次大きくなるよう形成されている。
【００３２】
上記導入路２３の末端は閉塞されていて、この閉塞端部には排出部としての排出口２４が形成されている。この排出口２４には図１に示すように排出管２５の一端（上端）が接続されている。
【００３３】
上記導入路２３の断面積が一端から他端に行くにつれて漸次大きく形成されていることで、導入路２３の末端が閉塞されていても、導入路２３内に後述するごとくカップ体１内から流入する気体の圧力が急激に上昇するのを抑制する。それによって、上記導入路２３に流入した気体を上記排出口２４を通じて上記排出管２５へ円滑に排出することが可能となる。
【００３４】
４本の排出管２５のうち、カップ体１の径方向一端側に位置する２本の排出管２５、つまり周方向において隣り合う一対の排出管２５は第１の気液分離器２６Ａに接続され、径方向他端側に位置する２本の排出管２５は第２の気液分離器２６Ｂに接続されている。各排出管２５には流量調整弁としてのバタフライバルブ３０を介して上記各気液分離器２６Ａ，２６Ｂに接続されている。
【００３５】
図３に示すように、各気液分離器２６Ａ，２６Ｂは、径方向一端側と他端側に設けられた各一対の排出管２５の間隔よりも長尺な直方体状に形成された本体２６を有する。この本体２６の上面の長手方向一端部と他端部とにはそれぞれ一対の排出管２５が気密に接続されている。
【００３６】
各排出管２５の下端部は上記本体２６内に突出している。上記本体２６の内底面、つまり底壁は長手方向両端から中央部に向かって低く傾斜する逆への字状の第１の傾斜面２７に形成されている。
【００３７】
上記本体２６の一側面の長手方向中央部には、上記本体２６の内部に連通する平面形状がＬ字状の排気口体２９が接続されている。一対の気液分離器２６Ａ，２６Ｂに接続された排気口体２９には、図１と図２に示すようにそれぞれ排気管３１の一端が接続されている。一対の排気管３１はカップ体１の径方向中心に対して対称形状になっており、それぞれの他端はＴ字管３２を介して排気装置としての排気ポンプ３３の吸引側に接続されている。
【００３８】
上記本体２６の一側面の高さ方向下端部で、長手方向中央部、つまり上記排気口体２９よりも下方で、第１の傾斜面２７の最も低くなる位置には排液管３４が接続されている。この排液管３４からは、気液分離器２６Ａ，２６Ｂ内に滴下する液体である、基板１５を洗浄処理した処理液が排出される。
【００３９】
上記本体２６内には、上記排気口体２９と排液管３４との間の高さに、本体２６の内底面の第１の傾斜面２７とほぼ同じ逆への字状に屈曲された透孔部材３５が設けられている。この透孔部材３５は、例えばパンチングメタルのように多数の透孔３５ａを有する板材によって形成されている。
【００４０】
上記本体２６の一端と他端とに接続された一対の排出管２５の下端部は、上記透孔部材３５の下面側に貫通している。つまり、排出管２５の下端面は透孔部材３５の下面側に位置している。そして、この排出管２５の下端面は、上記第１の傾斜面２７に対してわずかな間隔で平行に離間対向する第２の傾斜面２８に形成されている。
【００４１】
つまり、カップ体１に接続される４本の排出管２５を２本１組としてそれぞれ気液分離器２６Ａ，２６Ｂの両端部に接続し、この気液分離器２６Ａ，２６Ｂの長手方向中央部に排気口体２９を接続し、この排気口体２９に排気管３１を介して排気ポンプ３３を接続した。そのため、排気ポンプ３３の吸引力を、４本の排出管２５に均等に作用させることができる。
【００４２】
なお、各排気管３１に作用する吸引力はバタフライバルブ３０によって調整可能となっている。
【００４３】
図１と図２に示すように、上記カップ体１内には、周壁４の内周面と、回転テーブル９の回転領域の外側との間の部分に整流手段４１が設けられている。この整流手段４１は図５に示すように上下方向に所定間隔で離間して保持された複数の整流リング４２からなる。
【００４４】
各整流リング４２は、内周縁が外周縁よりも高くなるよう板面が傾斜し、上下に位置する各一対の整流リング４２間には周方向の複数箇所、たとえば３〜６箇所に保持部材４３が設けられている。この保持部材４３によって上下一対の整流リング４２のうち、下側に位置する整流リング４２に対し上側に位置する整流リング４２が所定間隔で保持されている。
【００４５】
上記保持部材４３は、図５に示すように帯状の部材の一端に下側の整流リング４２の上端（内周縁）に着脱可能に係合する断面コ字状の第１の係合部４４を形成し、他端に上側の整流リング４２の下端（外周縁）に着脱可能に係合する第２の係合部４５を形成している。さらに、保持部材４３の中途部には第１の係合部４４を形成した端部を上方へ屈曲させる屈曲部４６が形成されている。
【００４６】
そして、保持部材４３は、その第１の係合部４４を下側の整流リング４２の内周縁に係合させ、第２の係合部４５を上側の整流リング４２の外周縁に係合させることで、下側の整流リング４２の上方に上側の整流リング４２を所定間隔で離間させて保持している。
【００４７】
なお、保持部材４３の中途部に屈曲部４６を形成しなくとも、保持部材４３の長手方向一端と他端とに形成される第１の係合部４４と第２の係合部４５との角度を調整することで、下流側の整流リング４２の上方に上側の整流リング４２を所定の間隔で保持することができる。
【００４８】
最下端に位置する整流リング４２の外周縁には、周方向に所定の間隔で複数の脚４７が所定の角度で屈曲形成されている。そして、最下端の整流リング４２は、その脚４７によってカップ体１の底板３上に設けられ、この最下端の整流リング４２の上方に複数の整流リング４２が保持部材４３によって所定の間隔で順次積層保持されている。
【００４９】
積層された複数の整流リング４２は、これらの板面を平行かつ上記回転テーブル９に保持された基板１５の板面に対して所定の角度θ（図５に示す）、たとえば２０〜５０度の範囲、この実施の形態では４５度の角度で傾斜している。
【００５０】
それによって、基板１５を乾燥処理する際、この基板１５の周縁から外方へ飛散した処理液は、図５に矢示Ｚで示すように上下に位置する一対の整流リング４２の内周縁間の隙間から流入して上側の整流リング４２の下面に衝突するから、その下面から下方に向かって反射して下側の整流リング４２の上面に衝突し、この上面を流れて下方へ滴下することになる。
【００５１】
なお、上側に位置する整流リング４２の下端は、下側に位置する整流リング４２の上端よりも下方に位置している。それによって、基板１５から飛散して一対の整流リング４２の間に流入した処理液が上側の整流リング４２の下面に衝突せずに上下一対の整流リング４２間を通過するのを阻止している。
【００５２】
なお、上側に位置する整流リング４２の下端は、下側に位置する整流リング４２の上端とほぼ同じ高さであってもよい。
【００５３】
上記排気ポンプ３３の吸引力は排出管２５、導入路２３、導入口部５及び積層された整流リング４２の隙間を介してカップ体１内に作用する。上記整流リング４２は上下方向に所定間隔で設けられ、かつカップ体１の内周面全長にわたって設けられている。
【００５４】
そのため、複数の排出管２５を介してカップ体１内に作用する吸引力は、上記整流リング４２によって周方向に分散される。つまり、カップ体１内には排気ポンプ３３の吸引力が周方向においてほぼ均一に作用することになる。
【００５５】
図２に示すように、上記整流リング４２の外周縁には、整流リング４２を通過した気流を上記導入口部５から上記導入路２３へ強制的に流入させるためのガイド部材４８が設けられている。
【００５６】
上記ガイド部材４８は、上記導入口部５の基板１５の矢印Ａで示す回転方向に沿う下流端に基板１５の回転方向に沿って傾斜し、かつ所定間隔で積層された複数の整流リング４２の高さ方向全長にわたって設けられている。上記整流リング４２の外径寸法はカップ体１の内径寸法よりも小さく設定されている。それによって、カップ体１の内周面と整流リング４２の外周縁との間には図２に示す隙間４９が形成されている。
【００５７】
上記カップ体１内の気体は、排気ポンプ３３の吸引力及び基板１５の回転によって生じる遠心力で上下方向に所定間隔で設けられた複数の整流リング４２の間を通過して上記導入口部５に導入される。その際、気体の一部は導入路２３へ流入せず、カップ体１の内周面と、整流リング４２の外周縁との間の隙間４９（図２に示す）に入り込む。そして、その隙間４９を上昇し、最上段の整流リング４２の上面側を通って基板１５側へ戻り、基板１５に付着して汚染の原因になることがある。
【００５８】
しかしながら、上記ガイド部材４８を上記導入口部５の下流端に設けたことで、整流リング４２を通過した気流は上記導入口部５の下流端から上記隙間４９に流入せず、上記導入路２３へ強制的に流入させられるようになっている。
【００５９】
このような構成のスピン処理装置によれば、洗浄処理された基板１５を乾燥処理する場合、基板１５を保持した回転テーブル９を高速度で回転させると、その回転によって基板１５に付着した処理液は図２に矢印Ｂで示す基板１５の回転方向である、回転の接線方向に沿って飛散する。
【００６０】
矢印Ｂ方向に飛散した処理液は、図５に矢印Ｚで示すように整流手段４１の所定間隔で積層された上下一対の整流リング４２の間に流入し、上側の整流リング４２の下面に衝突する。この整流リング４２は内周縁が外周縁よりも高くなるよう板面を傾斜させているから、下面に衝突した処理液は下方に向かって反射し、その下方に位置する整流リング４２の上面に衝突し、この上面に沿って流れて外周縁から滴下する。
【００６１】
上記整流リング４２の外周縁から滴下した処理液は、導入口部５に発生する吸引力によってカップ体１内の気体とともに導入路２３から排出管２５へ吸引されて排出されることになる。その結果、基板１５から飛散した処理液がカップ体１の内周面で反射して基板１５側へ戻り、その基板１５に再付着するのが防止される。
【００６２】
上記カップ体１内には、回転テーブル９が高速回転することで、矢印Ｂで示す処理液の飛散方向と同方向の気流が発生し、その気流には排気ポンプ３３の吸引力が排出管２５、導入路２３、導入口部５及び整流手段４１を構成する整流リング４２を介して作用する。
【００６３】
上記排気ポンプ３３の吸引力は、上下方向に所定間隔で設けられた整流リング４２を介してカップ体１内に作用することで、この整流リング４２の整流作用によってカップ体１の周方向全長にわたってほぼ均等になる。
【００６４】
そのため、カップ体１内の処理液を含む気体は、それぞれ導入口部５及び導入路２３を介して４つの排出管２５からほぼ均等に排出されることになる。その結果、処理液を含む気体がカップ体１内で滞留するのを防止できるから、滞留した気体に含まれる処理液が基板１５に再付着して汚染の原因になるのが防止されることになる。
【００６５】
上記導入口部５の下流端に、カップ体１の内周面と整流リング４２の外周縁との隙間４９を塞ぐガイド部材４８を設けたことで、積層された整流リング４２を通過した気流は上記導入口部５から導入路２３へ強制的に流入させられる。
【００６６】
そのため、整流リング４２を通過した気流が導入口部５に吸引されずにカップ体１の内周面と整流リング４２の外周縁との隙間４９に入り込み、その隙間４９を上昇して最上段の整流リング４２の上面を通って基板１５側へ流れ、その気流に含まれる処理液が基板１５に再付着するのを防止することができる。
【００６７】
上記整流手段４１の保持部材４３は、一端に形成された第１の係合部４４を、上下一対の整流リング４２のうちの、下方に位置する整流リング４２の内周縁に係合させ、他端に形成された第２の係合部４５を上方に位置する整流リング４２の外周縁に係合させている。
【００６８】
つまり、保持部材４３は、その第１の係合部４４を除く部分が整流リング４２の内周縁よりも下方に位置する。そのため、回転する基板１５から飛散して上下一対の整流リング４２の間に流入した処理液は、整流手段４１の整流リング４２を保持した保持部材４３に衝突することなく、上側の整流リング４２の下面に衝突して下方へ反射する。そのため、基板１５から飛散した処理液が保持部材４３で反射して基板１５に再付着するのを防止できる。
【００６９】
上記整流手段４１の最下端に位置する整流リング４２には、複数の脚４７が周方向に所定間隔で設けられている。そのため、最下端の整流リング４２の内周側と外周側とは、周方向に所定間隔で設けられた脚４７間の空間部分を介して連通しているから、最下端の整流リング４２の内周側から外周側へ処理液や気体を確実に流出させることができる。
【００７０】
また、整流リング４２は、保持部材４３の第１、第２の係合部４４，４５に内周縁と外周縁を着脱可能に係合させて積層されている。そのため、整流手段４１の保守、点検時などには整流リング４２を容易に分解したり、組立てることができる。
【００７１】
図６はこの発明の整流手段４１の変形例を示す第２の実施の形態である。この実施の形態は、複数の整流リング４２を上下方向に所定間隔で保持するために、上記第１の実施の形態の保持部材４３に代わり、複数、例えば３〜６本程度の支柱部材５１を用いるようにした。
【００７２】
各支柱部材５１はカップ体１の底板３上に周方向に所定間隔で立設され、各整流リング４２には支柱部材５１に嵌合する取付け孔５２が穿設されている。そして、整流リング４２は、取付け孔５２を支柱部材５１に嵌合させ、所定の高さ位置で、表面が所定の傾斜角度になるよう取付け固定されている。
【００７３】
このような構成であっても、複数の整流リング４２を上記第１の実施の形態と同様、上下方向に所定間隔で、しかも内周縁が外周縁よりも高くなる所定の角度で傾斜させて設けることができる。
【００７４】
【発明の効果】
この発明によれば、カップ体内の内周面と回転テーブルとの間に整流リングを設けたから、この整流リングの整流作用によってカップ体内に排気ポンプの吸引力を周方向にわたってほぼ均一に作用させることができる。
【００７５】
そのため、カップ体内の処理液を含む気流をカップ体内で部分的に滞留させることなく、周方向全体にわたってほぼ均一に排出できるから、基板から飛散した処理液が基板に再付着するのを防止することができる。
【図面の簡単な説明】
【図１】この発明の第１の実施の形態を示すスピン処理装置の概略的構成の縦断面図。
【図２】図１のＸ−Ｘ線に沿う横断面図。
【図３】気液分離器の断面図。
【図４】気液分離器の側面図。
【図５】整流手段の断面図。
【図６】この発明の第２の実施の形態を示す整流手段の断面図。
【符号の説明】
１…カップ体
９…回転テーブル
２５…排出管
３３…排気ポンプ
４１…整流手段
４２…整流リング
４３…保持部材
４４…第１の係合部
４５…第２の係合部
４７…脚
４８…ガイド部材
５１…支柱部材
【図１】
0004759183.tif 000002
【図２】
0004759183.tif 000003
【図３】
0004759183.tif 000004
【図４】
0004759183.tif 000005
【図５】
0004759183.tif 000006
【図６】
0004759183.tif 000007